(57)【要約】【課題】  ブラシレスモータの冷却と防塵とを実現可能な構成を提供するとともに、該構成の組立を容易にした電動工具を提供する。【解決手段】  カバー面６０Ａと、凹部６０ｂが形成された周縁部６０Ｂとから成るカバー６０には、ファン５０の軸部５１の径よりわずかに大きい幅を有する切欠き６０ａが形成されている。回転軸３５にロータ３３とファン５０とを固定した後に、切欠き６０ａの外端６０ｄを回転軸３５に位置合わせし、回転軸３５が切欠き６０ａの内端６０ｃに近接するように切欠き６０ａに沿ってカバー６０を回転軸３５に対して相対的に移動させ、ロータ３３とファン５０との間に配置し、回転軸３５と一体にステータに挿入し、ステータに保持された絶縁部材の位置決め突起と凹部６０ｂとが係合し、絶縁部材を介してステータの端面を覆うように端面とファン５０との間に固定する。【選択図】図８
2008290218.tif 000002
【特許請求の範囲】
【請求項１】
空気流入孔と空気排出孔とが形成されたハウジングと、
該ハウジング内に保持され回転軸を有するブラシレスモータと、
該回転軸に固定され、該空気排出孔側に位置するファンと、
該ブラシレスモータの該空気排出孔側の端面を覆うように該端面と該ファンとの間に固定され該ブラシレスモータを防塵するためのカバーと、を有し、
該ハウジングの内周面と該ブラシレスモータの外周面との間には、該空気流入孔と該空気排出孔とを連通させる通風路が形成され、
該カバーには、該カバーが該回転軸を跨ぐように切欠きが形成されていることを特徴とする電動工具。
【請求項２】
該ハウジングには、該カバーに形成された該切欠きと対応した位置に、該切欠きを塞ぐ遮蔽壁部が設けられていることを特徴とする請求項１に記載の電動工具。
【請求項３】
該ハウジング及び該カバーのうちいずれか一方もしくは両方には、該カバーを該ハウジングに固定するためのリブが該通風路内に位置して設けられていることを特徴とする請求項１又は２に記載の電動工具。
【請求項４】
該リブは、該カバーを該ハウジングに固定する際に変形する変形部を有することを特徴とする請求項３に記載の電動工具。
【請求項５】
該リブは、該カバーを該ハウジング内の所定位置に誘導するためのテーパ部を有することを特徴とする請求項３又は４に記載の電動工具。
【請求項６】
該ブラシレスモータは、該ハウジングの内面に支持される筒状のステータと、
該ステータに巻回されるコイルと、
該ステータの内周面側に位置して、該ステータと同心であって回転可能に配置され該回転軸と同軸のロータと、
該コイルを巻回することにより該ステータに保持され、該ステータと該コイルとを絶縁する絶縁部材と、を有し、
該カバーには凹部又は凸部が形成され、該絶縁部材には該カバーの該凹部又は凸部と係合する突起又は窪みが形成されていることを特徴とする請求項１乃至５のうちのいずれか一に記載の電動工具。
【請求項７】
該ブラシレスモータの該空気流入孔側の端面を覆う第二カバーを設けたことを特徴とする請求項１乃至６のうちのいずれか一に記載の電動工具。
【請求項８】
該第二カバーは、該ブラシレスモータを駆動制御する回路基板であることを特徴とする請求項７に記載の電動工具。
【発明の詳細な説明】
【技術分野】
【０００１】
本発明はブラシレスモータを搭載した電動工具に関する。
【背景技術】
【０００２】
一般に、電動工具では、回転軸に取付けられるロータに対しブラシおよび整流子を用いた電気的接続が不要であるブラシレスモータを、電動工具の小型化を実現する手段として使用することがある。しかしながら、ブラシレスモータを駆動すると、比較的大きな電力損失が熱となって発生し、モータの動作に影響を与え、効率低下や故障を引き起こすという問題がある。具体的には、ステータコイルに電流が流れることにより生じる銅損と、磁束密度の変化によってステータコア材に生じる鉄損であり、これらステータ部の損失が主な発熱源となる。このため、従来のブラシレスモータにおいて、種々のステータに対する冷却構造が提案されている。例えば、従来のステータの冷却構造としては、下記特許文献１に開示されているように、モータハウジング内に外気を吸入する開口部と、ハウジング内の冷却風をハウジングの外へ排気する開口部とを、ステータを挟んで回転軸方向にお互いを離間してハウジングに設け、ロータに一体的に取付けたファンによってハウジング内に空気を導入し、特に、ステータコイルの間に冷却風を流動することにより、ステータコイル部を直接冷却する構造が提案されている。
【特許文献１】特開２００４−２７４８００号公報
【発明の開示】
【発明が解決しようとする課題】
【０００３】
しかしながら、上記の構造では、外部から空気を取り入れてブラシレスモータのステータを冷却できる一方、ステータ内に空気を通風させるため、空気中の粉塵がロータとステータとの間に詰まってしまうという問題がある。
【０００４】
そこで本発明は、ブラシレスモータの冷却と防塵とを実現可能な構成を提供するとともに、該構成の組立を容易にした電動工具を提供しようとするものである。
【課題を解決するための手段】
【０００５】
上記目的を達成するために、本発明は、電動工具であって、空気流入孔と空気排出孔とが形成されたハウジングと、該ハウジング内に保持され回転軸を有するブラシレスモータと、該回転軸に固定され、該空気排出孔側に位置するファンと、該ブラシレスモータの該空気排出孔側の端面を覆うように該端面と該ファンとの間に固定され該ブラシレスモータを防塵するためのカバーと、を有し、該ハウジングの内周面と該ブラシレスモータの外周面との間には、該空気流入孔と該空気排出孔とを連通させる通風路が形成され、該カバーには、該カバーが該回転軸を跨ぐように切欠きが形成されていることを特徴とする。
【０００６】
請求項２に記載の発明は、請求項１に記載の発明の特徴に加え、該ハウジングには、該カバーに形成された該切欠きと対応した位置に、該切欠きを塞ぐ遮蔽壁部が設けられていることを特徴とする。
【０００７】
請求項３に記載の発明は、請求項１又は２に記載の発明の特徴に加え、該ハウジング及び該カバーのうちいずれか一方もしくは両方には、該カバーを該ハウジングに固定するためのリブが該通風路内に位置して設けられていることを特徴とする。
【０００８】
請求項４に記載の発明は、請求項３に記載の発明の特徴に加え、該リブは、該カバーを該ハウジングに固定する際に変形する変形部を有することを特徴とする。
【０００９】
請求項５に記載の発明は、請求項３又は４に記載の発明の特徴に加え、該リブは、該カバーを該ハウジング内の所定位置に誘導するためのテーパ部を有することを特徴とする。
【００１０】
請求項６に記載の発明は、請求項１乃至５のうちのいずれか一に記載の発明の特徴に加え、該ブラシレスモータは、該ハウジングの内面に支持される筒状のステータと、該ステータに巻回されるコイルと、該ステータの内周面側に位置して、該ステータと同心であって回転可能に配置され該回転軸と同軸のロータと、該コイルを巻回することにより該ステータに保持され、該ステータと該コイルとを絶縁する絶縁部材と、を有し、該カバーには凹部又は凸部が形成され、該絶縁部材には該カバーの該凹部又は凸部と係合する突起又は窪みが形成されていることを特徴とする。
【００１１】
請求項７に記載の発明は、請求項１乃至６のうちのいずれか一に記載の発明の特徴に加え、該ブラシレスモータの該空気流入孔側の端面を覆う第二カバーを設けたことを特徴とする。
【００１２】
請求項８に記載の発明は、請求項７に記載の発明の特徴に加え、該第二カバーは、該ブラシレスモータを駆動制御する回路基板であることを特徴とする。
【発明の効果】
【００１３】
本発明の請求項１に記載の発明によれば、ブラシレスモータが駆動され回転軸に固定されたファンが回転すると、空気流入孔から取込まれた外気は、冷却風として通風路内を通過しブラシレスモータを外周面から冷却し、空気排出孔から外部へと排出される。ブラシレスモータ内を防塵するためのカバーをブラシレスモータの空気排出孔側の端面を覆うように端面とファンとの間に配置したので、ブラシレスモータを上記のように冷却する際に、ブラシレスモータの空気排出孔側の端面からブラシレスモータ内へ冷却風が侵入することを低減できる。また、ブラシレスモータの空気流入孔側の端面が覆われていない場合にも、空気排出孔側の端面はカバーによって覆われているためブラシレスモータ内の通風抵抗が大きくなるので、冷却風は、ブラシレスモータ内に侵入することなく、ハウジングの内周面とブラシレスモータの外周面との間に形成された通風路内を流れ、外部へ排出される。よって、木粉や金属粉が混在した外気中で電動工具を使用しても、冷却風中の粉塵がブラシレスモータ内に侵入することを低減できる。また、通風路外を流れる一部の冷却風が発生しブラシレスモータ内に侵入した場合でも、カバーを設けたことによりブラシレスモータ内の冷却風の風量及び風速は小さく、冷却風中の粉塵がブラシレスモータに衝突する力も小さいため、ブラシレスモータの破損を防止することができる。
【００１４】
また、カバーには、カバーが回転軸を跨ぐように切欠きが形成されているので、ブラシレスモータの端面とファンとの間にカバーを配置する際には、回転軸の軸方向からブラシレスモータ、カバー、ファンの順に回転軸に配置してからファンを圧入固定する必要がない。例えば、回転軸にブラシレスモータとファンとを圧入固定した後に、カバーの切欠きの外端を回転軸に位置合わせしてから、回転軸が切欠き内端に近接するように切欠に沿ってカバーを回転軸に対して相対的に移動させて、ブラシレスモータの空気排出孔側の端面を覆うように端面とファンとの間にカバーを取付けることができる。よって、ファンを回転軸に固定する際に、前もってファンとブラシレスモータとの間にカバーを配置しておく必要がなく、カバーが邪魔にならず、回転軸にファンを容易に固定することができ、組立性が向上する。なお、言うまでもないが、ブラシレスモータの空気排出孔側の端面とファンとの間にカバーを配置してから回転軸にファンを固定してもよい。
【００１５】
請求項２に記載の発明によれば、請求項１に記載の発明の効果に加え、ハウジングには、カバーに形成された切欠きと対応した位置に、切欠きを塞ぐ遮蔽壁部が設けられているので、ブラシレスモータの空気排出孔側の端面のうち切欠きによって開放される部分をハウジングに設けられた遮蔽壁部で塞ぎ、ブラシレスモータの空気排出孔側の端面をカバーと遮蔽壁部とにより隙間なく覆い密閉するため、ブラスレスモータ内に粉塵を侵入させることを低減できる。よって、ブラシレスモータの防塵機能をより向上させることができる。また、遮蔽壁部をハウジングに設けたので、切欠きを塞ぐ部材を別途設ける必要がなく、部品点数の増加を抑制することができる。また、カバーをハウジングに組付ける際に、切欠きと対応した位置に設けられた遮蔽壁部が切欠きを塞ぐので、別途切欠きを塞ぐ工程が不要となり、工程の増加を抑制することができる。
【００１６】
請求項３に記載の発明によれば、請求項１又は２に記載の発明の効果に加え、ハウジング及びカバーのうちいずれか一方もしくは両方には、カバーをハウジングに固定するためのリブが通風路内に位置して設けられているので、電動工具を使用中に振動が発生してもカバーはハウジングと一体に振動し、カバーのがたつきを防止できる。また、リブをハウジングに設けたので、カバーをハウジングに固定する部材を別途設ける必要がなく、部品点数の増加を抑制することができる。なお、言うまでもなく、リブは、通風路を完全に遮断せず冷却風の流れを阻害しない程度の寸法及び形状である。
【００１７】
請求項４に記載の発明によれば、請求項３に記載の発明の効果に加え、リブは、カバーをハウジングに固定する際に変形する変形部を有するので、カバー及びハウジングの製造誤差や組立誤差を変形部によって吸収し、より確実にカバーをハウジングに固定することができる。
【００１８】
請求項５に記載の発明によれば、請求項３又は４に記載の発明の効果に加え、リブは、カバーをハウジング内の所定位置に誘導するためのテーパ部を有するので、カバーをハウジングに組込むことが容易となり、組立性が向上する。
【００１９】
請求項６に記載の発明によれば、請求項１乃至５のうちのいずれか一に記載の発明の効果に加え、カバーに形成された凹部又は凸部と、絶縁部材に形成された突起又は窪みとを係合することにより、カバーと絶縁部材とは互いに固定し互いに位置決めすることができる。また、絶縁部材は、コイルを巻回することによりハウジングの内面に支持される筒状のステータに保持されているので、カバーとステータとは絶縁部材を介して固定され、別部材を設けることなく、ロータ及び回転軸と共にカバーが回転することを防止することができる。
【００２０】
請求項７に記載の発明によれば、請求項１乃至６のうちいずれか一に記載の発明の効果に加え、ブラシレスモータの空気流入孔側の端面を覆う第二カバーを設けブラシレスモータの両端面を密閉したので、ブラシレスモータ内に冷却風が侵入することがない。よって、より効果的に防塵機能を実現することができる。
【００２１】
請求項８に記載の発明によれば、請求項７に記載の発明の効果に加え、ブラシレスモータを駆動制御する回路基板を第二カバーとして兼用したため、第二カバーを別途設ける必要がなく、部品点数の増加を抑制できる。また、ブラシレスモータと回路基板との電気的な接続に要する配線経路を最短にすることができる。
【発明を実施するための最良の形態】
【００２２】
以下、本発明の実施の形態による電動工具について図１乃至図１１を参照して説明する。  図１は、本発明の実施の形態に係る電動工具の例としてインパクトドライバ１を示す。まず、図１を参照して、インパクトドライバ１の概略構成について説明する。
【００２３】
インパクトドライバ１は、外郭を構成するハウジング２を有し、ハウジング２は、モータハウジング部２１と、モータハウジング部２１に連続して形成された動力伝達ハウジング部２２と、モータハウジング部２１及び動力伝達ハウジング部２２から垂下するハンドルハウジング部２３とから構成される。
【００２４】
モータハウジング部２１は、筒状の形状を有し、駆動源となるブラシレスモータ３０と、ブラシレスモータ３０を制御する回路基板４０と、ファン５０と、ブラシレスモータ３０を防塵するためのカバー６０とを収容する。モータハウジング部２１の後方には、ハウジング２外から空気を流入するための空気流入孔２１ａが形成され、モータハウジング部２１の前方には、外部へ空気を排出するための空気排出孔２１ｂ（図１０）が形成されている。また、ブラシレスモータ３０の外周面とモータハウジング部２１の内周面２１Ａとの間には通風路２１ｃが画成され、通風路２１ｃは空気流入孔２１ａと空気排出孔２１ｂ（図１０）との間を連通している。
【００２５】
動力伝達ハウジング部２２は動力伝達機構部７０を収容している。動力伝達機構部７０は、遊星ギヤ７１とリングギヤ７２で構成される減速機構部と、スピンドル７３およびスピンドル７３上に前後摺動可能に配され、かつスプリング７４によって打撃力が与えられるハンマ７５から成るインパクト機構部と、ハンマ７５によって回転打撃力が与えられ先端工具（図示なし）を保持可能なアンビル７６とで構成される周知の構成である。動力伝達機構部により、ブラシレスモータ３０の回転力を回転打撃力としてアンビル７６へ伝達される。ハンマ７５には突出した凸部（図示なし）が設けられている。また、アンビル７６には、ハンマ７５の凸部に対応する凹部（図示なし）が形成されている。ブラシレスモータ３０が駆動されると、ブラシレスモータ３０の回転軸３５から伝達された回転力を遊星ギヤ７１とリングギヤ７２で減速し、その回転力をスピンドル７３に伝達しネジ締め動作を開始する。アンビル７６に所定以上の負荷がかかっていない時には、ハンマ７５の凸部とアンビル７６の凹部とが嵌め合うことによりハンマ７５とアンビル７６とは一体に回転し回転力を得る。一方、アンビル７６に所定以上の負荷がかかっている時には、アンビル７６がロックされて回転せず、ハンマ７５の凸部とアンビル７６の凹部とは外れ、スプリング７４の作用によりハンマ７５は前進し打撃力を得ることになる。
【００２６】
ハンドルハウジング部２３の下端部は、図示されないリチウムイオン二次電池、ニッケル・カドミウム二次電池等から成る電池パック８０を収容する電池パックケース８１を着脱可能に構成されている。ハンドルハウジング部２３には、トリガスイッチ２４が設けられていると共に、電池パック８０からブラシレスモータ３０へ電力を供給するための配線及びモータ駆動回路の一部が収納されている。電池パックケース８１がハンドルハウジング部２３に装着されると、トリガスイッチ２４を介して電池パック８０とモータ駆動回路装置とが電気的接続される。なお、ハウジング２に関し、アンビル７６側を前方、空気流入孔２１ａ側を後方、モータハウジング部２１や動力伝達ハウジング部２２側を上方、電池パックケース８１側を下方として、以下に説明する。
【００２７】
以上のように構成されたインパクトドライバ１によれば、作業者がハンドルハウジング部２３を把持しながら、トリガスイッチ２４を引くと、トリガスイッチ２４がオン状態となり、モータ３０からの駆動力を伝達されたハンマ７５がアンビル７６に装着されている先端工具に回転打撃力を与えることにより、ネジを締め付けることができる。
【００２８】
次に、図２乃至図１１を参照して、本実施の形態のブラシレスモータ３０の構成について説明する。ブラシレスモータ３０は、円筒状の外形をもつステータ３１と、コイル３２と、ステータ３１の内周部内に配置されたロータ３３と、ロータ３３に同心に貫通し、ロータ３３と一体回転する回転軸３５とから主に構成される。
【００２９】
ステータ３１は、筒体部と、筒体部の内周面側から半径方向内方に放射状に突出し筒体部の軸方向に延びる複数のティースとを有している。ステータ３１の両端には、絶縁部材９１及び絶縁部材９２がティースを覆うように装着されている。具体的には、ステータ３１の後端であって空気流入孔２１ａ側には絶縁部材９１が装着され、ステータ３１の前端であって空気排出孔２１ｂ（図１０）側には絶縁部材９２が装着されている。絶縁部材９１及び絶縁部材９２に覆われたティースにコイル３２を巻回することにより、絶縁部材９１及び絶縁部材９２はステータ３１に保持されている。図６に示すように、絶縁部材９２には位置決め突起９２Ａが設けられている。コイル３２は、複数のティースに順次巻回され、モータ駆動回路に接続されることで、スター結線された３相コイルとなる。
【００３０】
モータ駆動回路について説明する。モータ駆動回路は、回路基板４０を含み、コイル３２に電気的に接続され、ロータ３３を回転駆動させる働きを持つ。コイル３２の端末は、回路基板４０と電気的に接続されている。モータ駆動回路は、ブラシレスモータ３０のコイル３２に駆動電流を通電するための周知のブリッジ回路から成るインバータ回路やインバータ回路を制御するＣＰＵ等から成る制御回路等からなる。回路基板４０はスイッチング素子を備えたインバータ回路が形成され、インバータ回路以外の制御回路は幾つかの基板に分けて適切に配置されている（図示省略）。
【００３１】
回路基板４０は、回路基板４０の絶縁部材９１側の面である前面４０Ａが絶縁部材９１に密着するようにネジで固定されている。回路基板４０の前面４０Ａは、ロータ３３の回転位置検出を行うためのホール素子４１を備え、回路基板４０に通電するリード線４３が電気的に接続されている。回路基板４０の反絶縁部材９１側の面である後面４０Ｂは、コイル３２に流す電流のオンオフを行うための上述したスイッチング素子であるＦＥＴ４２を６個備え、ＦＥＴ４２は、回路基板４０に設けられた配線パターンを介してコイル３２と電気的に接続されている。また、コイル３２がスター結線されるように、ステータ３１の３相の各コイル３２の中性点用のコイル３２端末は駆動制御回路基板の配線パターンを介して電気的に接続され中性点を成している。
【００３２】
ロータ３３は、モータハウジング部２１に支持されたベアリングによって回転可能に両端が支承された回転軸３５と同軸に圧入され回転軸３５と一体に回転する本体部３６と、本体部３６に埋め込まれた４つの永久磁石部材３７とから成り、ステータ３１の内周部内に配置されている。
【００３３】
回転軸３５の前方側であって、モータハウジング部２１の空気排出孔２１ｂ（図１０）近傍にはファン５０が固定されている。ファン５０は、ブラシレスモータ３０が駆動されると回転軸３５と一体に回転し、空気流入孔２１ａから外部の空気を吸入し、通風路２１ｃ、空気排出孔２１ｂ（図１０）を通じて外部に空気を排出する。ファン５０は、図２及び図８に示されるように、回転軸３５と同心で端面がロータ３３の端面に固定される軸部５１と、軸部５１から延びる複数の羽根から成る羽根部５２とを有している。
【００３４】
カバー６０は、ブラシレスモータ３０の空気排出孔２１ｂ（図１０）側の端面を覆うように端面とファン５０との間に固定され、図６に示されるように、カバー面６０Ａと、絶縁部材９２に設けられた位置決め突起９２Ａと係合する凹部６０ｂが形成された周縁部６０Ｂとから成る。カバー６０には、図８に示されるように、軸部５１の径よりわずかに大きい幅を有する切欠き６０ａが形成され、切欠き６０ａの内端６０ｃ近傍に回転軸３５とファン５０の軸部５１とが配置される。具体的には、回転軸３５にロータ３３とファン５０とを圧入固定した後に、カバー６０の切欠き６０ａの外端６０ｄを回転軸３５に位置合わせしてから、回転軸３５が切欠き６０ａの内端６０ｃに近接するように切欠き６０ａに沿ってカバー６０を回転軸３５に対して相対的に移動させて、カバー６０はロータ３３とファン５０との間に配置される。回転軸３５と一体となったカバー６０（図９）はステータ３１（図７）に挿入され、図７に示されるように、ステータ３１に保持されている絶縁部材９２の位置決め突起９２Ａとカバー６０の凹部６０ｂとが係合されることで、絶縁部材９２を介してステータ３１の端面を覆うように端面とファン５０との間に固定され位置決めされる。なお、図７においてロータ３３及び回転軸３５は省略されている。
【００３５】
このような構成によれば、ブラシレスモータ３０内を防塵するためのカバー６０をブラシレスモータ３０の空気排出孔２１ｂ（図１０）側の端面を覆うように端面とファン５０との間に配置したので、ブラシレスモータ３０を冷却する際に、ブラシレスモータ３０の空気排出孔２１ｂ（図１０）側の端面からブラシレスモータ３０内へ冷却風が侵入することを低減できる。よって、木粉や金属粉が混在した外気中でインパクトドライバ１を使用しても、冷却風中の粉塵がブラシレスモータ３０内に侵入することを低減できる。
【００３６】
また、カバー６０には、カバー６０が回転軸３５を跨ぐように切欠き６０ａが形成されているので、ブラシレスモータ３０の端面とファン５０との間にカバー６０を配置する際には、回転軸３５の軸方向からブラシレスモータ３０、カバー６０、ファン５０の順に回転軸３５に配置してからファン５０を圧入固定する必要がなく、カバー６０が邪魔にならず、回転軸３５にファン５０を容易に固定することができ、組立性が向上する。
【００３７】
また、回路基板４０を絶縁部材９１に密着して固定しブラシレスモータ３０の空気流入孔２１ａ側の端面を覆い、ブラシレスモータ３０の両端面を密閉したので、ブラシレスモータ３０内に冷却風が侵入することがない。よって、より効果的に防塵機能を実現することができる。また、回路基板４０を、ブラシレスモータ３０を防塵するためのカバーとして兼用したため、カバーを別途設ける必要がなく、部品点数の増加を抑制できる。また、ステータ３１に巻回されるコイル３２と回路基板４０との電気的な接続に要する配線経路を最短にすることができる。
【００３８】
また、カバー６０に形成された凹部６０ｂと、絶縁部材９２に形成された位置決め突起９２Ａとを係合することにより、カバー６０と絶縁部材９２とを互いに固定し互いに位置決めすることができる。また、絶縁部材９２は、コイル３２を巻回することによりモータハウジング部２１の内周面２１Ａに支持される筒状のステータ３１に保持されているので、カバー６０とステータ３１とは絶縁部材９２を介して固定され、別部材を設けることなく、カバー６０がロータ３３及び回転軸３５と共に回転することを防止することができる。
【００３９】
図１０及び図１１に示されるように、モータハウジング部２１にはカバー６０を固定するためのリブ２１Ｂと、カバー６０に形成された切欠き６０ａに対応した位置に配置され切欠き６０ａを塞ぐ遮蔽壁部２１Ｅとが設けられている。リブ２１Ｂには、カバー６０をモータハウジング部２１に固定する際に変形する変形部２１Ｃと、カバー６０をモータハウジング部２１内の配置箇所へ誘導するテーパ部２１Ｄとが設けられている。変形部２１Ｃは、リブ２１Ｂから後方へカバー６０とハウジング２との組立公差以上突出し、略三角形状の断面を有している。なお、リブ２１Ｂは、通風路２１ｃを完全に遮断せず冷却風の流れを阻害しない程度の寸法及び形状である。
【００４０】
ステータ３１と一体にカバー６０がモータハウジング部２１に組込まれる際、カバー６０はテーパ部２１Ｄによって誘導され、リブ２１Ｂによって押圧されモータハウジング部２１に位置決めされ固定される。具体的には、リブ２１Ｂに設けられた変形部２１Ｃの頂点がカバー６０に押し潰されカバー６０に対応するように変形し、カバー６０がモータハウジング部２１に固定される。よって、カバー６０を介してブラシレスモータ３０がモータハウジング部２１に位置決めされ固定され、カバー６０は、ブラシレスモータ３０の空気排出孔２１ｂ側の端面を覆うように端面とファン５０との間に固定される。このとき、ブラシレスモータ３０の空気排出孔２１ｂ側の端面のうち切欠き６０ａによって開放される部分は、モータハウジング部２１に形成された遮蔽壁部２１Ｅによって塞がれ、ブラシレスモータ３０の空気排出孔２１ｂ側の端面は隙間なく覆われる。
【００４１】
このような構成によれば、ブラシレスモータ３０の空気排出孔２１ｂ側の端面のうち切欠き６０ａによって開放される部分をモータハウジング部２１に設けられた遮蔽壁部２１Ｅで塞ぎ、ブラシレスモータ３０の空気排出孔２１ａ側の端面をカバー６０と遮蔽壁部２１Ｅとにより隙間なく覆い密閉するため、ブラスレスモータ３０内に粉塵を侵入させることを低減できる。よって、ブラシレスモータ３０の防塵機能をより向上させることができる。また、遮蔽壁部２１Ｅをモータハウジング部２１に設けたので、切欠き６０ａを塞ぐ部材を別途設ける必要がなく、部品点数の増加を抑制することができる。また、カバー６０をモータハウジング部２１に組付ける際に、切欠き６０ａと対応した位置に設けられた遮蔽壁部２１Ｅが切欠き６０ａを塞ぐので、別途切欠き６０ａを塞ぐ工程が不要となり、工程数の増加を抑制することができる。
【００４２】
また、モータハウジング部２１には、カバー６０をモータハウジング部２１に固定するためのリブ２１Ｂが通風路２１ｃ内に位置して設けられているので、インパクトドライバ１の使用中に振動が発生してもカバー６０はモータハウジング部２１と一体に振動し、カバー６０のがたつきを防止できる。また、リブ２１Ｂをモータハウジング部２１に設けたので、カバー６０をモータハウジング部２１に固定する部材を別途設ける必要がなく、部品点数の増加を抑制することができる。
【００４３】
また、リブ２１Ｂにカバー６０をモータハウジング部２１に固定する際に変形する変形部２１Ｃを設けたので、カバー６０及びモータハウジング部２１の製造誤差や組立誤差を変形部２１Ｃによって吸収し、より確実にカバー６０をモータハウジング部２１に固定することができる。
【００４４】
また、リブ２１Ｂは、カバー６０をモータハウジング部２１内の所定位置に誘導するためのテーパ部２１Ｄを有するので、カバー６０をモータハウジング部２１に組込むことが容易となり、組立性が向上する。
【００４５】
尚、本発明の電動工具は、上記した実施の形態に限定されるものではなく、本発明の要旨を逸脱しない範囲内において種々変更を加え得ることは勿論である。
【００４６】
例えば、上記実施の形態では、ロータ３３とファン５０とが圧入固定された回転軸３５にカバー６０を固定し、カバー６０と回転軸３５とを一体にステータ３１に固定した後、カバー６０とステータ３１とを一体にモータハウジング部２１に組込んだが、本発明はこれに限定されるものではない。例えば、ロータ３３とファン５０とが圧入固定された回転軸３５をステータ３１に挿入した後であって、ステータ３１をモータハウジング部２１に組込む前に、カバー６０の切欠き６０ａの外端６０ｄを回転軸３５に位置合わせし、回転軸３５が切欠き６０ａの内端６０ｃに近接するように切欠き６０ａに沿ってカバー６０を回転軸３５に対して相対的に移動させて、絶縁部材９２を介してステータ３１の端面を覆うように端面とファン５０との間にカバー６０を固定してもよい。言うまでもないが、ブラシレスモータ３０の空気排出孔２１ｂ側の端面とファン５０との間にカバー６０を配置してから回転軸３５にファン５０を固定してもよい。
【００４７】
また、上記実施の形態では、ステータ３１の空気流入孔２１ａ側の端面を覆うために、回路基板４０が絶縁部材９１に密着するように固定されているが、ステータ３１の空気流入孔２１ａ側の端面を覆うカバーを別途設けてもよい。
【００４８】
また、上記実施の形態では、ステータ３１の空気流入孔２１ａ側の端面を覆うために、回路基板４０が絶縁部材９１に密着するように固定されているが、回路基板４０はブラシレスモータ３０から離間した位置に配置されてもよい。このような構成により、ブラシレスモータ３０の空気流入孔２１ａ側の端面が覆われていない場合であっても、空気排出孔２１ｂ側の端面はカバー６０によって覆われているためブラシレスモータ３０内の通風抵抗が大きくなるので、冷却風のブラシレスモータ３０内への侵入を低減し、モータハウジング部２１の内周面２１Ａとブラシレスモータ３０の外周面との間に形成された通風路２１ｃ内を介して冷却風を外部へ排出することができる。また、通風路２１ｃ外を流れる一部の冷却風が発生しブラシレスモータ３０内に侵入しても、カバー６０を設けたことによりブラシレスモータ３０内の冷却風の風量及び風速は小さくなり、冷却風中の粉塵がブラシレスモータ３０に衝突する力も小さいため、ブラシレスモータ３０が破損することを防止することができる。
【００４９】
また、上記実施の形態では、モータハウジング部２１にリブ２１Ｂを設けたが、カバー６０にカバー６０をハウジング２に固定するためのリブを設けてもよい。
【００５０】
また、上記実施の形態では、モータハウジング部２１に設けられたリブ２１Ｂに設けられた変形部２１Ｃの断面を略三角形状としたが、変形部２１Ｃの形状はこれに限定されず、カバー６０をモータハウジング部２１に固定する際に寸法公差を吸収するように変形する形状であればよい。
【００５１】
また、上記実施の形態では、カバー６０に形成された凹部６０ｂと、絶縁部材９２に凹部に係合する位置決め突起９２Ａを設けたが、カバー６０に凸部を設け、絶縁部材９２に凸部と係合する窪みを設けてもよい。
【産業上の利用可能性】
【００５２】
本発明の電動工具は、インパクトドライバ等の冷却ファンを有する工具に好適に利用できる。
【図面の簡単な説明】
【００５３】
【図１】本発明の実施の形態に係る電動工具の全体断面図である。
【図２】図１の要部拡大図である。
【図３】図１におけるIII−III線に沿った断面図である。
【図４】図１におけるIV−IV線に沿った断面図である。
【図５】図１におけるV−V線に沿った断面図である。
【図６】本発明の実施の形態において、カバーと絶縁部材との組立図である。
【図７】本発明の実施の形態において、回路基板とカバーとが固定されたブラシレスモータの斜視図である。
【図８】本発明の実施の形態において、回転軸とカバーとファンとの組立図である。
【図９】本発明の実施の形態において、ロータとカバーとファンとが固定された回転軸の斜視図である。
【図１０】本発明の実施の形態におけるハウジングの要部拡大図である。
【図１１】本発明の実施の形態におけるハウジングの斜視図である。
【符号の説明】
【００５４】
１：インパクトドライバ    ２：ハウジング    ２１：モータハウジング部
２１Ａ：内周面    ２１Ｂ：リブ    ２１Ｃ：変形部    ２１Ｄ：テーパ部
２１Ｅ：遮蔽壁部    ２１ａ：空気流入孔    ２１ｂ：空気排出孔    ２１ｃ：通風路
３０：ブラシレスモータ    ３１：ステータ    ３２：コイル    ３３：ロータ    
３５：回転軸    ４０：回路基板    ５０：ファン    ６０：カバー    
６０Ａ：カバー面    ６０Ｂ：周縁部    ６０ａ：切欠き    ６０ｂ：凹部    
６０ｃ：内端    ６０ｄ：外端    ９１、９２：絶縁部材    ９２Ａ：位置決め突起
【図１】
2008290218.tif 000003
【図２】
2008290218.tif 000004
【図３】
2008290218.tif 000005
【図４】
2008290218.tif 000006
【図５】
2008290218.tif 000007
【図６】
2008290218.tif 000008
【図７】
2008290218.tif 000009
【図８】
2008290218.tif 000010
【図９】
2008290218.tif 000011
【図１０】
2008290218.tif 000012
【図１１】
2008290218.tif 000013